(57)【特許請求の範囲】
【請求項１】
天板と、この天板を支持する脚体とを具備してなり、前記脚体同士を噛み合わせて所定のピッチでスタッキングすることができるように構成した机であって、
前記脚体が、左右に延びる中間フレームの両端から前後いずれかの方向に延びる端部フレームを延出させてなるベースと、このベースの端部フレームの先端部に立設した左右に対をなす第１の脚支柱と、前記第１の脚支柱の離間幅よりも小さな離間幅をもって前記中間フレームに立設した左右に対をなす第２の脚支柱と、前記第２の脚支柱の上端部間を連結する第２の横梁とを具備してなることを特徴とする机。
【請求項２】
前記第１の脚支柱の上端部間を連結する第１の横梁とをさらに具備してなり、前記第１の横梁及び第２の横梁を、天板の下面に添設している請求項１記載の机。
【請求項３】
前記第１の横梁と、前記第２の横梁とを連結する連結杆を備えてなり、前記連結杆を、天板の側縁よりも内側に位置させてある請求項２記載の机。
【請求項４】
天板の使用縁側に前記第１の脚支柱、反使用縁側に前記第２の脚支柱を配したものであって、前記第２の脚支柱及び前記第２の横梁よりも、天板の反使用縁を外側に位置させている請求項２又は３記載の机。
【請求項５】
前記ベースと前記第１の脚支柱とを共通のパイプ素材により一体に構成している請求項１、２、３又は４記載の机。
【請求項６】
天板の使用縁側に前記第１の脚支柱、反使用縁側に前記第２の脚支柱を配したものであって、前記第２の脚支柱の上端部間に幕板を設けている請求項１、２、３、４又は５記載の机。
【請求項７】
前記幕板が、幕板本体と、この幕板本体の上縁から使用縁側に延出し天板の下面に添設される上折曲片と、前記幕板本体の下縁から使用縁側に延出された下折曲片とを具備する請求項６記載の机。
【請求項８】
前記ベースの端部フレームに、同一構造を有する机と連結させるための連結具を設けている請求項１、２、３、４、５、６又は７記載の机。
【発明の詳細な説明】
【技術分野】
【０００１】
本発明は、学校やオフィス等で好適に利用される机に関する。
【背景技術】
【０００２】
現在、学校やオフィス等で使用される事務用の机として、非使用時にスタッキングを可能にしたものが提案されている。
【０００３】
具体的には、この机は、天板と、この天板を支持する脚体とを具備してなり、この脚体が、左右に対をなす第１の脚支柱と、前記第１の脚支柱の離間幅よりも小さな離間幅をもって左右に対をなす第２の脚支柱と、これら第１及び第２の脚支柱の上端部間を接続する天板受部を具備してなり、前記第２の脚支柱間に同じ構成を有する他の机の前記第１の脚支柱を配して脚体同士を噛み合わせるようにして所定のピッチでスタッキング可能にしている（例えば、特許文献１を参照）。
【０００４】
ここで、前記特許文献１記載の机では、前記第１及び第２の脚支柱の下部間は、全て開放した構成を採用しているとともに、このような机の脚体には、金属パイプを利用して形成したものが用いられている。このような構成を有する脚体を形成するパイプには、従来、脚体の強度を確保すべく、ある程度の太さを有するもの、例えば直径１９．１〜２５．４ｍｍのものが用いられてきている。
【０００５】
しかして、非使用時にこのような机を収納する際に、収納スペースの節減を図るべく、複数の机をスタッキングした際のピッチを小さくする要望が存在する。前記ピッチを小さくする手段としては、脚体を形成するパイプを細くすることが考えられる。ところが、上述したような構成の机において、上述したようなパイプの太さは、机の重量を抑えつつ脚体の強度を確保すべく設計されたものであり、前記特許文献１記載の構成のまま脚体を形成するパイプを細くすると、脚体の強度が十分でなくなるおそれがある。
【先行技術文献】
【特許文献】
【０００６】
【特許文献１】特開２００２−９５５３１号公報
【発明の概要】
【発明が解決しようとする課題】
【０００７】
本発明は以上の点に着目し、このような課題を解決すること、すなわち、脚体の強度を確保しつつスタッキングの際のピッチを小さくできるようにすることを目的とする。
【課題を解決するための手段】
【０００８】
すなわち本発明に係る机は、天板と、この天板を支持する脚体とを具備してなり、前記脚体同士を噛み合わせて所定のピッチでスタッキングすることができるように構成した机であって、前記脚体が、左右に延びる中間フレームの両端から前後いずれかの方向に延びる端部フレームを延出させてなるベースと、このベースの端部フレームの先端部に立設した左右に対をなす第１の脚支柱と、前記第１の脚支柱の離間幅よりも小さな離間幅をもって前記中間フレームに立設した左右に対をなす第２の脚支柱と、前記第２の脚支柱の上端部間を連結する第２の横梁とを具備してなることを特徴とする。
【０００９】
このようなものであれば、前記ベースにより前記第１及び第２の脚支柱の下端部間が連結されるので、脚体に細いパイプを使用しても脚体としての強度を確保できる。すなわち、脚体の強度を確保しつつ、脚体に細いパイプを使用してスタッキングした際にピッチを小さくできる。
【００１０】
簡単な構成でこのような机の脚体の強度をさらに確保するには、前記第１の脚支柱の上端部間を連結する第１の横梁をさらに具備してなり、前記第１の横梁及び第２の横梁を、天板の下面に添設している構成が望ましい。
【００１１】
前段で述べた構成の机において、脚体の強度をさらに増しつつスタッキング作業の便を図るには、前記第１の横梁と、前記第２の横梁とを連結する連結杆を備えてなり、前記連結杆を、天板の側縁よりも内側に位置させてあるものが望ましい。このようなものであれば、机同士をスタッキングした際には天板と天板との間に前記連結杆が位置し、また、天板の側縁部を把持した状態で手指が前記連結杆の外側に位置するので、机同士をスタッキングした際に指がこの連結杆の外側に形成される空間内に収納され、把持状態を解除して指をこの空間から抜き出すことが容易になるからである。
【００１２】
また、このような机の反使用縁同士を突き合わせて使用できるようにするためには、天板の使用縁側に前記第１の脚支柱、反使用縁側に前記第２の脚支柱を配したものであって、前記第２の脚支柱及び前記第２の横梁よりも、天板の反使用縁を外側に位置させているものが望ましい。このようなものであれば、机の反使用縁同士を対向させた際に、前記前記第２の脚支柱及び前記第２の横梁より優先して天板の反使用縁が互いに衝き当たるからである。
【００１３】
このような机を少ない部品点数及び加工工数により形成するための構成として、前記ベースと前記第１の脚支柱とを共通のパイプ素材により一体に構成しているものが挙げられる。
【００１４】
また、このような机の好適な態様の一例として、天板の使用縁側に前記第１の脚支柱、反使用縁側に前記第２の脚支柱を配したものであって、前記第２の脚支柱の上端部間に幕板を設けているものが挙げられる。
【００１５】
特に、前記幕板が、幕板本体と、この幕板本体の上縁から使用縁側に延出し天板の下面に添設される上折曲片と、前記幕板本体の下縁から使用縁側に延出された下折曲片とを具備するものであれば、側断面視コの字状をなすこの幕板により前記第２の脚支柱間が接続されるので、脚体の強度を確保しつつ脚体をさらに細いパイプを利用して形成するようにできる。
【００１６】
そして、このような机を幅方向に連結して使用する際の便を図るには、前記ベースの端部フレームに、同一構造を有する机と連結させるための連結具を設けているものが望ましい。このようなものであれば、連結具を利用して同一構造を有する机同士を連結することにより、幅方向に隣接させた机相互の相対位置がずれることを抑制できるからである。
【発明の効果】
【００１７】
本発明に係る机の構成によれば、前記ベースにより前記第１及び第２の脚支柱の下端部間を連結しているので、脚体に細いパイプを使用しても脚体としての強度を確保できる。従って、脚体の強度を確保しつつ、非使用時における収納スペースの削減を図るべく、脚体に細いパイプを採用してスタッキングした際のピッチを小さくする構成を採用することができる。
【図面の簡単な説明】
【００１８】
【図１】本発明の一実施形態に係る机の正面図。
【図２】同実施形態に係る机の平面図。
【図３】同実施形態に係る机の側面図。
【図４】図１におけるＡ−Ａ断面図。
【図５】同実施形態に係る机を左右方向に連結した状態を示す図。
【図６】同実施形態に係る机のスタッキング態様を示す図。
【図７】同実施形態に係る机をスタッキングした状態を示す斜視図。
【図８】同実施形態に係る机の運搬態様を示す図。
【発明を実施するための形態】
【００１９】
以下、本発明の一実施形態について図１ないし図８を参照して説明する。
【００２０】
本実施形態に係る机Ｄは、図１〜図４に示すように、天板１と、この天板１を支持する脚体２とを具備してなり、前記脚体２同士を噛み合わせて所定のピッチでスタッキングすることができる。
【００２１】
前記天板１は、図１〜図４に示すように、略矩形状をなし、この種の机の天板１として周知のものと同様の構成を有する。
【００２２】
前記脚体２は、図１〜図４に示すように、左右に延びる中間フレーム３１の両端から前方に延びる端部フレーム３２を延出させてなるベース３３と、このベース３の端部フレーム３２の先端部に立設した左右に対をなす第１の脚支柱４と、前記第１の脚支柱４の離間幅ｄ１よりも小さな離間幅ｄ２をもって前記中間フレーム３１に立設した左右に対をなす第２の脚支柱５とを具備してなる。
【００２３】
さらに詳述すると、前記ベース３は、図１〜図４に示すように、１本の金属製パイプを屈曲させて形成したものであり、上述したように、左右に延びる中間フレーム３１と、この中間フレーム３１の両端から前方に延出する端部フレーム３２とを有する。また、このベース３は、平面視前方に開口したコの字状をなす。さらに、前記中間フレーム３１の下方には、接地部材３３を設けている。加えて、前記図１〜図４、及び図５に示すように、左側の端部フレーム３２には第１の連結具３４、右側の端部フレーム３２には第２の連結具３５をそれぞれ設けている。前記第１の連結具３４は、前後１対に設けてなる。これら第１の連結具３４は、いずれも、前記端部フレーム３２を収納する凹部を上面に有するとともに下面が床面に接地する接地部３４ａと、この接地部３４ａから互いに離反する方向に延伸する第１の連結爪部３４ｂとを備えている。また、前記第２の連結具３５も、前後１対に設けてなる。これら第２の連結具３５ａは、いずれも、前記端部フレーム３２を収納する凹部を上面に有するとともに下面が床面に接地する接地部３５ａと、この接地部３５ａから相寄る方向に延伸する第２の連結爪部３５ｂとを備えている。そして、同一構造を有する机Ｄ同士を幅方向に隣接させた際に、前記図５に示すように、机Ｄ相互の位置決めを行うべく、一方の机Ｄの第１の連結爪部３４ｂと他方の机Ｄの第２の連結爪部３５ｂとを噛み合わせることができる構成を有する。そして、このベース３の先端部から前記第１の脚支柱４を起立させて設けている。
【００２４】
前記第１の脚支柱４は、前記図１〜図５に示すように、前記ベース３と共通のパイプ素材により一体に構成している。具体的には、前記ベース３の端部フレーム３２の先端部をそれぞれ上方に屈曲させて起立させることにより左右の第１の脚支柱４をそれぞれ形成している。また、左右の第１の脚支柱４の上端部間は、第１の横梁４１により連結している。ここで、上述したように、左右の第１の脚支柱４は、所定の離間幅ｄ１だけ離間している。また、この第１の脚支柱４、前記第１の横梁４１、及び前記ベース３は、直径１２．８〜１５．９ｍｍのパイプを利用して形成している。そして、この第１の脚支柱４の後方に、第２の脚支柱５を設けている。
【００２５】
前記第２の脚支柱５は、前記図１〜図５に示すように、下端部を前記ベース３の中間フレーム３１に溶接することによりこの中間フレーム３１から立設している。また、左右の第２の脚支柱５の上端部間は、第２の横梁５１により連結している。本実施形態では、１本のパイプ素材の両端を屈曲させて、中央の部分を第２の横梁５１、両端の部分を第２の脚支柱５としてこれらを一体に形成している。ここで、これら第２の脚支柱５及び第２の横梁５１は、直径１２．８〜１５．９ｍｍのパイプを利用して形成している。また、左右の第２の脚支柱５は、上述したように、所定の離間幅ｄ２だけ離間している。この所定の離間幅ｄ２は、上述したように、前記左右の第１の脚支柱４間の離間幅ｄ１よりも小さい。そして、前記第２の脚支柱５及び前記第２の横梁５１は、いずれも前記天板１の反使用縁１ａよりも内側に配している。
【００２６】
さらに本実施形態では、前記図３及び図４に示すように、前記第１の横梁４１と前記第２の横梁５１との間を、連結杆６により連結している。この連結杆６は、左右１対に設けている。また、この連結杆６は、いずれも天板１の側縁よりも内側に位置させてある。
【００２７】
加えて、本実施形態では、前記図１、図３、及び図４に示すように、前記第２の脚支柱５の上端部間に幕板７をさらに設けている。この幕板７は、幕板本体７１と、この幕板本体７１の上縁から使用縁側に延出し天板１の下面に添設される上折曲片７２と、前記幕板本体７１の下縁から使用縁側に延出された下折曲片７３とを具備する。前記幕板本体７１は、前記第２の脚支柱５の後方に位置し、パンチ孔を有する。前記上折曲片７２は、本実施形態では天板１の下面と前記第２の横梁５１との間に配してなり、天板１にねじ等の止着手段により止着されている。前記下折曲片７３は、第２の脚支柱５の中間部間を連結する連結材８の下方に添接し、この連結材８にねじ等の止着手段により止着されている。
【００２８】
そして、この机Ｄは、非使用時において以下のようにスタッキングして収納するようにしている。まず、図６に示すように、一方の机Ｄを他方の机Ｄの上後方に配する。次いで、一方の机Ｄの第１の脚支柱４間に他方の机Ｄの第２の脚支柱５を配する。そして、一方の机Ｄを下前方に移動させ、図７に示すように一方の机Ｄの連結杆６と他方の机Ｄの天板１とを衝き当てる。
【００２９】
また、この机Ｄを運搬する際には、図８に示すように、まず運搬台車Ｔに一台の机Ｄを積載し、その後前段で述べた方法で順次スタッキングする。
【００３０】
以上に述べたように、本実施形態に係る机Ｄの構成によれば、前記第１及び第２の脚支柱４、５の下端部間を前記ベース３により連結し、前記第２の脚支柱５の上端部間を連結する第２の横梁５１を備えているので、脚体２に細いパイプ、具体的には従来の直径１９．１〜２５．４ｍｍのパイプより細い直径１２．８〜１５．９ｍｍのパイプを使用しても、脚体２としての強度を確保できる。すなわち、脚体２の強度を確保しつつ、脚体２に細いパイプを使用してスタッキングした際にピッチを小さくできる。
【００３１】
また、前記第１の脚支柱４の上端部間を連結する第１の横梁４１をさらに具備してなり、前記第１の横梁４１及び第２の横梁５１を、天板１の下面に添設しているので、簡単な構成でこのような机Ｄの脚体２の強度をさらに確保することができる。
【００３２】
さらに、前記第１の横梁４１と、前記第２の横梁５１とを連結する連結杆６を備えてなり、前記連結杆６を、天板１の側縁よりも内側に位置させてあるので、机Ｄ同士をスタッキングした際には天板１と天板１との間に前記連結杆６が位置し、また、天板１の側縁部を把持した状態で手指が前記連結杆６の外側に位置し、机Ｄ同士をスタッキングした際に指がこの連結杆６の外側に形成される空間内に収納され、把持状態を解除して指をこの空間から抜き出すことが容易になる。従って、脚体２の強度をさらに増しつつスタッキング作業の便を図ることができる、
また、天板１の使用縁側に前記第１の脚支柱４、反使用縁１ａ側に前記第２の脚支柱５を配し、前記第２の脚支柱５及び前記第２の横梁５１よりも、天板１の反使用縁１ａを外側に位置させているので、机Ｄの反使用縁１ａ同士を対向させた際に、前記前記第２の脚支柱５及び前記第２の横梁５１より優先して天板１の反使用縁１ａが互いに衝き当たる。従って、このような机Ｄの反使用縁１ａ同士を突き合わせて使用できる。
【００３３】
加えて、前記ベース３と前記第１の脚支柱４とを共通のパイプ素材により一体に構成しているので、このような机Ｄを少ない部品点数及び加工工数により形成することができる。
【００３４】
また、天板１の使用縁側に前記第１の脚支柱４、反使用縁１ａ側に前記第２の脚支柱５を配したものであって、前記第２の脚支柱５の上端部間に幕板７を設けているとともに、前記幕板７が、幕板本体７１と、この幕板本体７１の上縁から使用縁側に延出し天板１の下面に添設される上折曲片７２と、前記幕板本体７１の下縁から使用縁側に延出された下折曲片７３とを具備するので、側断面視コの字状をなすこの幕板７により前記第２の脚支柱５間が接続され、脚体２の強度を確保しつつ脚体２をさらに細いパイプを利用して形成するようにできる。
【００３５】
そして、前記ベース３の端部フレーム３２に、同一構造を有する机Ｄと連結させるための連結具３４、３５を設けているので、連結具３４、３５を利用して同一構造を有する机Ｄ同士を連結することにより、幅方向に隣接させた机Ｄ相互の相対位置がずれることを抑制できる。従って、このような机Ｄを幅方向に連結して使用する際の便を図ることができる。
【００３６】
なお、本発明は以上に述べた実施形態に限らない。
【００３７】
例えば、同一構造を有する机と連結させるための連結具は、前記ベースの端部フレーム以外の箇所、例えば天板に設けてもよく、このような連結具を省略してもよい。
【００３８】
また、前記第２の脚支柱の上端部間に幕板を必ずしも設ける必要はなく、また、幕板の上折曲片及び下折曲片を省略し、左右の第２の脚支柱の両側に幕板をねじやリベット等の止着手段により止着する態様を採用してもよい。
【００３９】
さらに、前記ベースと前記第１の脚支柱とを共通のパイプ素材により一体に構成する代わりに、ベースの端部フレームの先端部に第１の脚支柱の下端を溶接等の手段により取り付ける態様を採用してもかまわない。
【００４０】
加えて、前記第１の脚支柱の上端部間を連結する第１の横梁や、前記第２の脚支柱の上端部間を連結する第２の横梁を設ける代わりに、例えば、前記第１の脚支柱及び第２の脚支柱のうち少なくとも一方の上端部から水平に延伸する鍔部を設け、この鍔部を天板の下面に止着するようにしてもよい。また、前記第１の横梁を設ける代わりに、前記第１の脚支柱の上端部を前記第２の横梁に向けて延伸させて連結杆を形成し、この連結杆の先端をこの第２の横梁に接続する態様を採用してもよい。
【００４１】
一方、前記第１の横梁及び前記第２の横梁を設けるとともに、これらを連結する連結杆は省略し、天板の両側縁の下面を切り欠いて手を挿入可能な把手を設けるようにしても、スタッキング操作の完了時までこの把手内に手指を配しておくことができる効果は得られる。
【００４２】
そして、第２の脚支柱、及び第２の脚支柱の上端間を接続する第２の横梁の反使用縁側端縁を、天板の反使用縁を通過しこの机を設置する設置床面に対して垂直に起立する面上に位置させても、同一構造の机の反使用縁同士を突き合わせることはできる。
【００４３】
加えて、天板下方に物品を載せ置くことが可能でかつ着脱可能な物品収納部を設けてもよい。この場合、物品収納部を取り外した状態の机をスタッキングするとともに物品収納部を別途スタッキングして収納する態様などが考えられる。
【００４４】
その他、本発明の趣旨を損ねない範囲で種々に変形してよい。
【符号の説明】
【００４５】
Ｄ…机
１…天板
２…脚体
３…ベース
３１…中間フレーム
３２…端部フレーム
４…第１の脚支柱
５…第２の脚支柱
【図１】
0005401688.tif 000002
【図２】
0005401688.tif 000003
【図３】
0005401688.tif 000004
【図４】
0005401688.tif 000005
【図５】
0005401688.tif 000006
【図６】
0005401688.tif 000007
【図７】
0005401688.tif 000008
【図８】
0005401688.tif 000009